(57)【要約】【課題】近年、製造販売される製品の多品種化に伴い、製品用ラベルの製作も多種に及んでおり煩雑になっている。そこで通信回線を介してラベル製作メ−カ−と注文主である顧客を接続することによって、納期を短縮し、廉価なラベルの製作を目的とするものである。【解決手段】即ち本発明は、製品用ラベル供給側システムを有する製品用ラベル供給者から、製品用ラベル供給側システムに通信回線を介して接続された顧客側システムを有する顧客が製品用ラベル完成デ−タの獲得方法において、前記顧客側システムでは、前記製品用ラベル供給側システムから製品用ラベル試作品デ−タを前記通信回線を介し受信して、顧客の所望する製品用ラベル完成デ−タを判断した後に製品用ラベル印刷機により印刷する段階を備えたことを特徴とする製品用ラベルの製作方法である。【選択図】        なし【特許請求の範囲】
【請求項１】
製品用ラベル供給側システムを有する製品用ラベル供給者から、製品用ラベル供給側システムに通信回線を介し接続された顧客側システムを有する顧客が製品用ラベル獲得のための製品用ラベル完成用デ−タの獲得方法において、
前記顧客側システムでは、前記製品用ラベル供給側システムのラベル作成用デ−タベ−スから製品用ラベル試作用デ−タを前記通信回線を介し顧客デ−タベ−スにより受信し顧客の所望する製品用ラベル完成用デ−タと判断した後に、該デ−タを用いて製品用ラベル印刷機による印刷する段階を備えたことを特徴とする製品用ラベルの製作方法。
【請求項２】
請求項１において、顧客側システムにそれぞれ割り当てられた識別番号に基づき、製品用ラベル供給側システムが複数の顧客側システムを識別することを特徴とする製品用ラベルの製作方法。
【請求項３】
請求項１〜２記載のラベル作成用デ−タベ−スに予め作成された文字、図形、記号、模様、及び色彩等の選択肢群が所持されており、該選択肢群より顧客が通信回線を介して選択することにより製品用ラベル用画像デ−タを作成し、その後、該ラベル用画像デ−タに基づいて製品用ラベル印刷機を用い印刷することを特徴とする製品用ラベルの製作方法。
【請求項４】
請求項１〜３記載の製品用ラベル印刷機が、厚紙印刷可能な印刷用電子写真複写機であることを特徴とする製品用ラベルの製作方法。
【請求項５】
請求項１〜５において、顧客システムに配備の製品用ラベル用印刷機を用い製作された製品用ラベル。
【発明の詳細な説明】
【０００１】
【発明の属する技術分野】本発明は、製品用ラベルの完成デ−タを通信回線を介して顧客の要求に応じて提供するための製品用ラベル製作方法と同システムにより得られる製品用ラベルに関するものである。
【０００２】
【従来の技術】製品用ラベルは、「製品の顔」であり、そのデザイン・品質が製品全体のイメ−ジを左右し、売れ行きに直結するものである。
このため、近年、製造・販売される各種製品の多様化に伴って、これらの製品を充填するための容器や袋類の外側に貼り付ける製品用ラベルについても、顧客の関心を引きやすい多くの種類の製品用ラベルの製作が求められている。
また、近年、製品が安全性に優れており、環境に優しい製品であることを示すマ−ク等各種機能表示も製品用ラベル中に記載することを求められることが屡々有り、ラベルのデザインが色々と複雑化している。
【０００３】
しかも、製造販売される製品に対するユ−ザ−の要望は複雑化しており、製品は少量多品種化の傾向が強くなっている。このため製品を充填する容器や袋等に貼り付ける製品用ラベルにも多くの種類が必要となっている。
このように製品用ラベルには、製品の品質を保証するために、製品名、ロット番号、会社名、製造地、会社のマ−ク、安全マ−ク等と多数の文字やマ−クが表記した多種類が必要となっている。従って、製品用ラベルの製作では、顧客の要望に適うために、予め多くの製品用ラベルのサンプルや、ラベル作成のために特殊形状の文字やマ−ク類を豊富に蓄積する必要が益々増大している。
【０００４】
このために、製品用ラベルの製作には、上記の様に所望のデ−タを多く所持しているラベル印刷業者までに実際に出かけ、所定のオ−ダ−フォ−ムに所定事項を記入して当該装置の管理者に手渡すという作業が必要である。
しかも、上述した様に製品の少量多品種化が進み、これに伴って製品用ラベルも多種類が必要となっており、その都度、ラベル印刷業者に訪問して注文することは多くの時間を必要とし煩雑な業務となっている。
また、製造・販売する製品の多品種少量化に伴って、注文する製品用ラベル枚数が少ない場合には、ラベル印刷業者に対しコストが割高な製品用ラベルを注文することになっている。
【０００５】
【発明が解決しようとする課題】
このため、注文主は、多種類の製品用ラベルを少ない時間で手間をかけることなく、製品用ラベルを入手することが容易であり、製品用ラベルを製作提供する側の手間も減らすことが可能な製品用ラベルの製作方法および製品用ラベルを確立することが、必要となっている。
即ち、顧客が少ない手間で時間をかけることなく製品用ラベルを注文することができて、製品用ラベルを製作提供する側の手間も減らすことが可能な製品用ラベルの製作方法および製品用ラベルを提供することが求められている。
そこで、本発明者等は、通信回線、例えばインタ−ネットを介して、従来のラベル印刷業者にかえデ−タベ−スを利用によるラベル製作者（以後ラベル供給側システムと表現）と、ラベル注文主（以後顧客と省略）を互いにパ−ソナルコンピュ−タ等を用い接続して、製品用ラベルの注文と製作を簡素化することをすることを検討したのである。
【０００６】
【発明が解決するための手段】
即ち、請求項１では、製品用ラベル供給側システムを有する製品用ラベル供給者から、製品用ラベル供給側システムに通信回線を介し接続された顧客側システムを有する顧客が製品用ラベル獲得のため製品用ラベル完成用デ−タの獲得方法において、
前記顧客側システムでは、前記製品用ラベル供給側システムのラベル作成用デ−タベ−スから製品用ラベル試作用デ−タを前記通信回線を介し顧客デ−タベ−スによって受信して顧客の所望する製品用ラベル完成用デ−タと判断した後に、該デ−タを用い製品用ラベル印刷機による印刷する段階を備えたことを特徴とする製品用ラベルの製作方法である。
【０００７】
請求項１の発明では、図１に記載の通り通信回線１を介して製品用ラベル供給側システム中のラベル作成用デ−タベ−ス８と、顧客側システム３中の顧客側デ−タベ−ス１０を接続することにより汎用のパ−ソナルコンピュ−タに接続のプリンタ−によって製作するために、極めて短時間で容易に製作が可能となったのである。
これによって、従来の手法であるラベル印刷業者に製品用ラベルの製作を依頼することなく、各種製品を製造・販売する顧客が通信回線を介して製品用ラベルを製作することが可能となり、これに依って、豊富なデ−タを蓄積されたラベル作成用デ−タベ−ス８を使用することが可能となり大幅な時間が短縮されるものである。
【０００８】
請求項２の発明は、請求項１システムを使用するに当たり、多数の顧客側システム中にそれぞれ割り当てられた識別番号に基づいて、製品用ラベル供給側システムが複数の顧客側システムを識別することを特徴とする製品用ラベルの製作方法である。
即ち、請求項２では、各顧客に予め識別番号を定めることに依り、製品用ラベル供給側システムを利用する顧客の作業が円滑に進むものである、例えば、接続の際に識別番号を確認することで自動的に接続される、また、顧客がラベル作成用デ−タベ−スを利用した場合の使用料換算も容易となる。
尚、識別番号の設定法としては、最初に顧客から郵便、ＦＡＸ等により本通信回線を介したラベル作成用デ−タベ−ス８を利用の希望があった場合には、予め会員番号等を決め事務手続きを終了した後に、製品用ラベル供給側システム管理者と顧客システムを利用する当事者の当事者間にのみ認識可能な識別番号を設定することにより本通信回線の使用が可能である様にすることで、第三者が本識別番号の利用を不可能にしたものである。
【０００９】
請求項３の発明は、請求項１〜２記載の製品用ラベル供給側システム中に設けられたラベル作成用デ−タベ−スに予め作成された文字、図形、記号、模様、及び色彩等の選択肢群のデ−タを多数蓄積・所持することによって、顧客が複数の選択肢群より通信回線を介して選択することにより製品用ラベル用画像デ−タを作成し、その後、該ラベル用画像デ−タに基づいて製品用ラベル印刷機を用い印刷することを特徴とする製品用ラベルの製作方法である。
【００１０】
請求項３では、ラベル作成用デ−タベ−ス中に文字、図形、記号、模様、及び色彩等を多量に内蔵することによって、顧客が従来のラベル印刷業者への注文に代えて、本願発明の通信回線を介して製品用ラベルを製作することで従来の注文によるラベル製作よりもデザインが向上するばかりでなく、経済的にも優れた効果を発揮するものである。尚、製品用ラベル供給側システムには、ラベル作成用デ−タベ−ス中に文字、図形、記号、模様、及び色彩等の選択肢群デ−タを継続して補充していくものである。
【００１１】
請求項４の発明は、請求項１〜３記載の製品用ラベル印刷機が、厚紙印刷可能な印刷用電子写真複写機であることを特徴とする製品用ラベルの製作方法である。本発明では、製品用ラベル製作方法として、特に図１及び図３に記載の製品用ラベル供給側システム２を利用することで従来から使用の所謂ラベル印刷機を用いず、パ−ソナルコンピュ−タ等に接続可能なプリンタ−によって容易に製品用ラベルの製作が可能であるため、印刷業者にラベルの製作を依頼せずに商品の製造業者にとって操作が容易である製品用ラベル製作システムである。
【００１２】
製品用ラベルを製作する際に使用するラベルの素材としては、表面にラベル印刷される単層でも好いが、おもて面にラベル印刷が施され裏面が粘着面となっており離型紙が貼り付けられた製品用ラベルが商品容器や袋類の貼り付けが容易であるものが好ましい。
この際に使用する厚紙印刷可能な電子写真複写機としては、厚紙印刷可能な電子写真複写機を用いると、離型紙付きラベル原紙に印刷して得られた製品用ラベルは乾燥の必要もなく直ちに容器や袋の表面に貼り付けが可能である。
このように本発明の製品用ラベルの製作方法は、発注から製作までの時間が、従来のラベル印刷業者利用の場合に比較して、大いに短縮され、しかも廉価な製品用ラベルが容易に得られるものである。
【００１３】
請求項６の発明は、請求項１〜５記載の製品用ラベルの製作方法に基づき、顧客システムに配備の製品用ラベル用印刷機を用いて製作して得られる製品用ラベルである。
本発明による製品用ラベルの製作では、ラベル印刷業者を利用せず、製品（商品）を製造する業者が直接パソコン用プリンタ−を用い容易に製作可能であるため、廉価な製品用ラベルの製作が容易であるばかりでなく、製品用ラベル供給側システムを利用することによって、各種の変化に富みデザイン性にも優れた少量多品種の製作が容易である。
【００１４】
しかも、製品用ラベル供給側システムにおけるラベル作成用デ−タ中に多くの図形、記号、模様及び色彩を蓄積することによって、従来のラベル印刷業者ではデザインが困難であった全く斬新な製品用ラベルの製造が容易であり、注文する顧客の希望を満足し時代に即応した製品用ラベルが製作が可能である。
【００１５】
【発明の実施の形態】
以下、発明の実施の形態を通じて本発明を説明する。但し、以下の実施の形態は特許請求範囲に記載された発明を限定するものではなく、また実施の形態の中で説明されている特徴の組み合わせの統べて発明の解決手段に必要であるとは限らない。
図１は、本発明に係わる第１の実施の形態の製品用ラベルの製作方法が適用される製品用ラベルの製作方法に関するシステムの第１の構成を示すブッロク図である。
【００１６】
以下に、上述した製品用ラベルの作成方法システムを利用した受発注システムの動作について説明する。
通信回線１と、製品用ラベル・デ−タ供給者としてのラベルプログラム作成メ−カ−に於けるラベル供給側システム２とメ−カ−システム用入出力装置４、製品用ラベル注文主である顧客としての製品用ラベル作成についての顧客システム３と顧客システム用入出力装置５とで構成されている。
【００１７】
ラベル供給側システム２には、通信回線１又はメ−カ−システム用入出力装置４とデ−タ授受を行い必要な各処理部を起動する入出力処理部６、及び製品用ラベルの作成条件のプログラム（デ−タ）を作成するラベル作成デ−タベ−ス８が備えられている。
一方、顧客システム３には、通信回線１あるいは顧客システム用入出力装置５とデ−タ授受を行って必要な各処理部を起動する入力処理部９、顧客がメ−カ−システム２のラベル作成デ−タベ−ス８にアクセスして、製品用ラベル情報を受ける顧客側デ−タベ−ス１０から成っている。
【００１８】
更に顧客側には、メ−カ−システム側から送信されてきた試作用ラベルデ−タを顧客側デ−タベ−ス１０により画像化して確認した後に、製品用ラベルが印刷可能なラベル用印刷機１１が備えられており、顧客側では試作ラベルを製作し迅速に評価して、その結果に基づきメ−カ−側に採用または不採用の報告する。
即ち、本実施の形態では、従来のラベル試作ではラベル印刷会社においてテスト印刷が繰り替えされ、その度に顧客が再三訪問して多くの時間を要していたが、この様な作業の授受を電子化することによって、試作製品用ラベルの評価が短時間で進行するため、製品用ラベルの製作までが大幅な時間短縮が可能なるように構成されている。
【００１９】
この様に、図１に示す製品用ラベルの製作方法のシステムにおいては、製品用ラベル供給側システム２と顧客側システム３とを通信回線１で接続し両者間の情報交換を、通信回線１を介して実施するように簡素化したものである。
しかし、通信回線１を設けなくて、製品用ラベル供給側メ−カ−システム２及び顧客側システム３は、相手側に送信すべき情報を印字出力したり、フレキシブルデスク等に書き込んだりして、メ−カ−システム側の担当者と顧客システム側の担当者が、電話、ＦＡＸ、郵送等で必要情報を交換することも可能である。
【００２０】
この様にして、顧客は、顧客側システム３内顧客側デ−タベ−ス１０を用いて注文する製品ラベル見本デ−タを、ラベル製作用デ−タベ−ス８に予め作成された文字、図形、記号、模様、色彩等を蓄積された選択肢デ−タの内の幾つかを通信回線を介して検索・抽出して顧客デ−タベ−ス１０に返信・受信合成処理した製品用ラベル印刷画像用デ−タを作成し、これを用いラベル用印刷機１１により製品用ラベルを印刷・作成するものである。
この様にして、本願発明の製品用ラベルの製作は、煩雑な行程と多くの時間を要せず容易に得られるものである。
【００２１】
図２は、本発明に係わる第１の形態を説明するフロ−チャ−ト図である。作業は上から下に向かう順序で進んでおり、製品用ラベル製作メ−カ−側を示す長方形枠と顧客側を示す括弧枠によって構成されており、顧客が注文する製品用ラベルの見本作成から始まっている。尚、見本作成では、通信回線を介して予め顧客側デ−タベ−スで作成されたデ−タを製品用ラベル供給側システム２に設置されたラベル作成用デ−タベ−ス８を用い試作の製品用ラベルを製造するのが一般的であるが、メ−カ−システム側の担当者と顧客システム側の担当者が、電話、ＦＡＸ、郵送等で必要情報を交換することも可能である。
【００２２】
顧客側では、製品用ラベルのサンプル、挿入希望マ−ク、文字等各種デ−タを通信回線を介して顧客側デ−タベ−ス１０を用い送信（発注）して、製品用ラベル製作メ−カ−側の製品用ラベル供給側システムに送り、送られたサンプルをラベル作成用デ−タベ−ス８を用いて製品用ラベルデ−タが抽出・試作される。
この様にして試作された製品用ラベルは、顧客側デ−タベ−スに自動転送され顧客の注文した製品用ラベルと一致した場合には、製品用ラベルとして採用されラベル用印刷機により製品用ラベルを印刷することで、顧客が注文の製品用ラベルが得られる。
【００２３】
また、図３は、本発明に係わる第２の実施の形態の製品用ラベルの製作方法が適用された製品用ラベルの製作方法に関するシステムの第２の構成を示すブッロク図である。
図１に比較して、図３では、製品用ラベル供給側システム２における入力処理部６とラベル作成用デ−タベ−ス８の間に識別番号確認部７設けたものである。
これを設けることによって、製品用ラベル供給側システム２と顧客システム３を人力を頼らずに機械操作によりスム−ズな接続操作が可能となり、顧客が製品用ラベル供給側シスムを利用した場合に請求する料金も自動的に換算され、作業効率の向上に大いに貢献するものである。
【００２４】
この際にも、図３の操作に於いても、図１の操作と同様に通信回線１を設けなくて、メ−カ−システム２及び顧客システム３は、相手側に送信すべき情報を印字出力したり、フレキシブルデスク等に書き込んだりして、メ−カ−システム側の担当者と顧客システム側の担当者が、電話、ＦＡＸ、郵送等で必要情報を交換することも可能である。
図４は、本発明に係わる第２の形態を説明するフロ−チャ−ト図であり、本作業は上から下に向かう順序で進んでおり、製品用ラベル製作メ−カ−側を示す長方形枠と顧客側を示す括弧枠によって構成されており、顧客が注文する製品用ラベルの見本作成から始まり、注文した製品用ラベルの製作までフロ−チャ−ト図である。
【００２５】
本発明では、識別番号を使用することによって、図１及び図２に比較して、図３及び図４では、製品用ラベル試作の際の授受においての不要な待ち時間を削減でき完成までの期間を大いに短縮することができる。従って、緊急な製品用ラベルの製作依頼でも、容易に製作可能であり、予め多品種にわたる製品用ラベルを製作して在庫する必要もない。
【００２６】
【発明の効果】以上説明したように、本発明の製品用ラベルの製作方法と製品用ラベルによれば、メ−カ−と顧客間は通信回線を用いて必要な情報の授受を行っているため、デザインの訂正が容易であり配送に必要な時間を短縮することができる。
また、顧客側システムで使用するラベル用印刷機としては厚紙印刷が可能である電子写真印刷機を用いることで極めて容易に製作が可能であって、改めてラベル印刷業者に製作を依頼する必要がなく、少数、多種類の製品用ラベルの製作に最適である。このため、製品用ラベルを保存する必要もなく在庫管理のためのスペ−スと費用を削減することができる。
【図面の簡単な説明】
【図１】本発明に係わる第１の実施の形態が適用される製品用ラベル製作方法システムの第１の構成を示すブロック図
【図２】本発明に係わる第１の実施の形態を説明するフロ−チャ−ト図
【図３】本発明に係わる第２の実施の形態が適用される製品用ラベル製作方法システムの第２の構成を示すブロック図
【図４】本発明に係わる第２の実施の形態を説明するフロ−チャ−ト図である。
【符号の説明】
１‥‥通信回線
２‥‥製品用ラベル供給側システム
３‥‥顧客側システム
４‥‥メ−カ−システム用入出力装置
５‥‥顧客システム用入出力装置
６‥‥メ−カ−入出力処理部
７‥‥識別番号確認部
８‥‥ラベル製作用デ−タベ−ス
９‥‥顧客入出力処理部
１０‥顧客側デ−タベ−ス
１１‥ラベル用印刷機
【図１】
2004184666.tif 000002
【図２】
2004184666.tif 000003
【図３】
2004184666.tif 000004
【図４】
2004184666.tif 000005